(57)【特許請求の範囲】
【請求項１】
地中に凹入状に形成された水溜め空間に並べて配備されかつ上下に段積みされる積上げ部材であって、
多数の通水口が開設された複数の側壁を有しかつ向き合わせて突き合わせることによって複数の垂直な側壁を有しかつ平面視多角形をなす中空の多角筒状体を形成する対称形状の一対の合成樹脂製の分割体でなり、個々の分割体における分割箇所に相応する一方の端縁と他方の端縁とに振り分けて、互いに連結可能な形状の係合部と被係合部とが設けられており、上記多角筒状体の軸線方向での個々の上記分割体の一端側の辺部および他端側の辺部のそれぞれの全長部分に亘って支持面が具備され、上下に段積みされる２つの上記分割体の相互間では、下段側の分割体の他端側の辺部に具備された上記支持面に、上段側の分割体の一端側の辺部に具備された上記支持面が重なり合うように形成されていることを特徴とする地下貯水槽用の積上げ部材。
【請求項２】
上記分割体が、互いに直交する２つの側壁を有する請求項１に記載した地下貯水槽用の積上げ部材。
【請求項３】
上記分割体が、９０度よりも大きい開き角度で連設された３つの側壁を有する請求項１に記載した地下貯水槽用の積上げ部材。
【請求項４】
上記係合部が、上記分割体の一方の端縁の全長部分に亘って設けられた係合溝部でなり、上記被係合部が、上記分割体の他方の端縁の全長部分に亘って設けられて上記係合溝部に上記多角筒状体の軸線方向にスライドさせることによってのみ嵌合可能な被係合突起でなる請求項１、請求項２、請求項３のいずれかに記載した地下貯水槽用の積上げ部材。
【請求項５】
複数の側壁のそれぞれに上記多角筒状体の軸線方向に延びるリブが設けられ、上記分割体の一端側の辺部および他端側の辺部のそれぞれの全長部分に具備された支持面が、それらの辺部のそれぞれに設けられたフランジ部の表面によって形成されていると共に、上記リブの一端部が上記分割体の一端側の辺部に設けられたフランジ部に連設され、上記リブの他端部が上記分割体の他端側の辺部に設けられたフランジ部に連設されている請求項１、請求項２、請求項３、請求項４のいずれかに記載した地下貯水槽用の積上げ部材。
【請求項６】
上記分割体の一端側の辺部に、その分割体が積み上げられる他の分割体の他端側の辺部に内嵌合される位置決め片が突設されている請求項１、請求項２、請求項３、請求項４、請求項５のいずれかに記載した地下貯水槽用の積上げ部材。
【発明の詳細な説明】
【０００１】
【発明の属する技術分野】
本発明は、地下貯水槽の水溜め空間に並べて配備されかつ上下に段積みされる積上げ部材に関する。
【０００２】
【従来の技術】
特公平４−２６６４８号公報にこの種の積上げ部材についての記載がある。この公報に記載されている積上げ部材は、多数の通水口が開設された複数の側壁を有する平面視多角形をなす中空の多角筒状体でなり、その複数の側壁は上窄まりまたは下窄まりに傾斜している。そして、この積上げ部材は、地中に凹入状に形成された上記水溜め空間の地表面での開口部を覆って配設されている透水層を下から支えることにより、その透水層に加わる荷重を受け止めることを役割の１つとして担っている。
【０００３】
【発明が解決しようとする課題】
しかしながら、上記公報に記載されている積上げ部材を積み上げたときには、それぞれの積上げ部材の側壁が傾斜した状態になるので、上記透水層に加わる垂直な下向き荷重が個々の積上げ部材の傾斜した側壁によって支えられることになるので、その荷重の大きさによってはその側壁が座屈を生じやすく、しかも仮に１つの側壁が座屈を生じるとその影響が他の側壁にも及んで他の側壁の座屈を招来しやすくなる。このような状況は、側壁の厚さを厚くすることによって多少は改善されるけれども、本質的な解決策とはなり得ない。
【０００４】
また、上記公報に記載されている積上げ部材のように中空の多角筒状体を積上げ部材として用いると、１つの積上げ部材の嵩が大きいので工場から地下貯水槽の施工現場に搬送するための費用が高くつくばかりでなく、工場や施工現場での保管スペースとして広いスペースが必要になるので経済性に欠けるという問題があった。
【０００５】
本発明は以上の問題に鑑みてなされたものであり、積み上げたときに側壁が垂直になって垂直な下向き荷重に対して大きな対抗力を発揮させることができるのみならず、施工現場で多角筒状体に組み立てることができ、嵩張らない形にして搬送したり保管したりすることのできる地下貯水槽用の積上げ部材を提供することを目的とする。
【０００６】
【課題を解決するための手段】
本発明に係る地下貯水槽用の積上げ部材は、地中に凹入状に形成された水溜め空間に並べて配備されかつ上下に段積みされる積上げ部材であって、多数の通水口が開設された複数の側壁を有しかつ向き合わせて突き合わせることによって複数の垂直な側壁を有しかつ平面視多角形をなす中空の多角筒状体を形成する対称形状の一対の合成樹脂製の分割体でなり、個々の分割体における分割箇所に相応する一方の端縁と他方の端縁とに振り分けて、互いに連結可能な形状の係合部と被係合部とが設けられており、上記多角筒状体の軸線方向での個々の上記分割体の一端側の辺部および他端側の辺部のそれぞれの全長部分に亘って支持面が具備され、上下に段積みされる２つの上記分割体の相互間では、下段側の分割体の他端側の辺部に具備された上記支持面に、上段側の分割体の一端側の辺部に具備された上記支持面が重なり合うように形成されている、というものである。
【０００７】
この積上げ部材においては、一対の分割体のそれぞれに設けられている係合部と被係合部とを利用してその一対の分割体を連結することができる。そして、一対の分割体を連結することにより構成された積上げ部材の一端側の辺部と他端側の辺部のそれぞれには、一対の上記分割体のそれぞれの一端側の辺部と他端側の辺部とに設けられている支持面が位置するので、それらの支持面を利用して多数の積上げ部材を上下に段積みすることができる。そして、一対の上記分割体は、向き合わせて突き合わせることによって複数の垂直な側壁を有しかつ平面視多角形をなす中空の多角筒状体を形成するものであるので、その一対の分割体を連結して形成した積上げ部材の段積みすると、個々の積上げ部材の側壁のそれぞれは垂直になる。このため、透水層を介して積上げ部材に加わる垂直な下向き荷重に対して大きな対抗力を発揮する。
【０００８】
また、個々の分割体は多数のものを同じ向きにして嵌合状に重ねることができる。
【０００９】
本発明に係る積上げ部材においては、上記分割体が、互いに直交する２つの側壁を有するものであっても、あるいは、９０度よりも大きい開き角度で連設された３つの側壁を有するものであってもよい。これらの積上げ部材においても上述したものと同じ作用が発揮される。
【００１０】
本発明においては、上記係合部が、上記分割体の一方の端縁の全長部分に亘って設けられた係合溝部でなり、上記被係合部が、上記分割体の他方の端縁の全長部分に亘って設けられて上記係合溝部に上記多角筒状体の軸線方向にスライドさせることによってのみ嵌合可能な被係合突起でなるという構成を採用することができる。この積上げ部材によっても、上述したものと同じ作用が発揮される。
【００１１】
本発明においては、複数の側壁のそれぞれに上記多角筒状体の軸線方向に延びるリブが設けられ、上記分割体の一端側の辺部および他端側の辺部のそれぞれの全長部分に具備された支持面が、それらの辺部のそれぞれに設けられたフランジ部の表面によって形成されていると共に、上記リブの一端部が上記分割体の一端側の辺部に設けられたフランジ部に連設され、上記リブの他端部が上記分割体の他端側の辺部に設けられたフランジ部に連設されている、という構成を採用することが望ましい。このようにしておけば、上記リブが下向き荷重に対する強度を高めることに役立つ。
【００１２】
本発明においては、上記分割体の一端側の辺部に、その分割体が積み上げられる他の分割体の他端側の辺部に内嵌合される位置決め片が突設されている、という構成を採用することが望ましい。
【００１３】
このようにしておけば、一対の分割体を連結することによって形成される当該積上げ部材を上下に段積みするときに、上記位置決め片を下段側の積上げ部材を構成している分割体の他端側の片部に内嵌合するだけで下段側の積上げ部材の上に積み上げた積上げ部材がその下段側の積上げ部材に対して位置決めされるので施工性が向上する。
【００１４】
【発明の実施の形態】
図１は本発明の実施の一形態である積上げ部材４を用いて施工した地下貯水槽Ａを概略的に示した一部省略縦断面図、図２は地下貯水槽Ａを概略的に示した平面構成図、図３は地下貯水槽Ａの一部を示す説明図、図４は地下貯水槽Ａの他の一部を示す説明図、図５は分割体４０を斜め上方から見た斜視図、図６は分割体４０を斜め下方から見た斜視図、図７は積上げ部材４を斜め上方から見た斜視図、図８は積上げ部材４を斜め下方から見た斜視図、図９は係合部４５と被係合部４６とを示す部分平面図、図１０は位置決め片５５の作用を説明するための断面図、図１１は分割体４０を嵌合状に重ねた状態の説明図である。
【００１５】
図１に示した地下貯水槽Ａは、地面を掘り下げることによって地中に凹入状に形成された水溜め空間１を有する。この水溜め空間１において、その周囲壁面１１はその地層を形成している土砂の安息角を勘案して可能な限り小さな仰角を持つように上開き状に傾斜している。この水溜め空間１の底壁面１２とその底壁面１２に連続する上記周囲壁面１１とは通水性を持たない遮水シート２で被覆されており、その遮水シート２の上に不織布２１が配備されている。上記者水シート２には塩化ビニル樹脂シート、ゴムシート、ポケットエチレン樹脂シートなどのシートを用いることができる。
【００１６】
上記水溜め空間１の底壁面１２に、上記遮水シート２と上記不織布２１とを介して集合体３が装填されている。この集合体３は、水平に並べられかつ上下に段積みされた多数の積上げ部材４でなる。これらの積上げ部材４は、合成樹脂製の骨格構造体でなり、個々の積上げ部材４自体が水溜め用の空隙を有し、それらの空隙が互いに連通して全体として１つの大きな空間を形成している。
【００１７】
上記集合体３の周囲に、垂直に立ち上げられたコンクリート製の仕切壁５が設けられている。この仕切壁５には多数の通水孔５１が貫通状に形成されていて、この通水孔５１によって上記仕切壁５に通水性が付与されている。図例では、上記水溜め空間１の中央部の２箇所にも垂直に立ち上げられた仕切壁５，５が設けられていて、この仕切壁５，５によって上記集合体３が左右に２分割されている。そして、上記仕切壁５と上記周囲壁面１１との間の空間や、中央部の２箇所の仕切壁５，５の間の空間に小形固形物の集合でなる通水層６…が配備されている。通水層６は、砕石を上記空間に装填することによって形成されている。この通水層６を砂利や玉石などの小石で形成することも可能である。さらに、上記集合体３と上記通水層６との上に透水層７が配設されている。この透水層７は土砂を敷き詰めることによって形成されており、その透水層７を利用して芝生が植生されている。透水層７の上に自動車の駐車場を形成することも可能である。なお、上記仕切壁５をポーラスコンクリート製にしてその仕切壁５に通水性を付与しておいてもよい。また、仕切壁５の厚さは、上記集合体３に加わる荷重や通水層６に加わる荷重など総合的に勘案してそれらに耐え得る強度を持つような厚さにしておく。また、上記仕切壁５をＦＲＰなどのプラスチック製にすることも可能であり、そうすることによって仕切壁の軽量化が達成され、運搬、施工が容易になるという利点がある。
【００１８】
この地下貯水槽Ａにおいて、図２のように仕切壁５を矩形に作る場合、複数の平板状のコンクリートパネルを直角に突き合わせたり、あるいは平板状に突き合わせたりして作ることができ、そのようにすることによって、仕切壁５の施工性が改善される。仕切壁５同士を直角に突き合わせてそれらを結合するときには、図３のように仕切壁５の突合せ箇所をその表裏両面側から一対のコーナ連結具１０１，１０２で挾み付け、それらを仕切壁５に挿通されたボルト・ナットなどの止具１００で締め付けておけばよい。また、仕切壁５を平板状に突き合わせてそれを結合するときには、図４のようにその突合せ箇所をその表裏両面側から一対の平板状の連結具１０３，１０４で挾み付け、それらを仕切壁５に挿通されたボルト・ナットなどの止具１００で締め付けておけばよい。
【００１９】
上記積上げ部材４によって形成されている上記水溜め用の空隙に上記遮水シート２と上記通水層６とを貫通して延びる地表水導入路８の終部が配置されている。この地表水導入路８は、図示していない都市公園の歩道脇に設けられた側溝で集められた雨水やテニスコートなどから出る雨水を上記水溜め用の空隙に導入するために設けられている。さらに、上記水溜め空間１の底部に、上記水溜め用の空隙に溜まった水を排水するための排水溝９１が設けられており、この排水溝９１に、排水路９の始部が接続されている。なお、排水路９は合成樹脂管を埋設することによって形成することができ、その排水路９の途中に調節弁９２が介在されている。
【００２０】
以上説明した地下貯水槽Ａにおいて、水溜め空間１を取り囲んでいる壁１３は必ずしも必要ではない。しかし、地盤の強化や安定化が必要な場合には、その壁１３を所定の厚さの捨てコンクリート層で形成しておくとよい。
【００２１】
上記積上げ部材４は、図５および図６に示した分割体４０を一対（２つ）用意し、それら対称形状の一対の分割体４０，４０を向き合わせて突き合わせることによって、複数の垂直な側壁を有しかつ平面視方形をなす中空の多角筒状体を形成すると共に、それらを互いに連結することによって構成されている。分割体４０は、ポリプロピレン樹脂やポリ塩化ビニル樹脂などの合成樹脂で一体成形されており、一対の分割体４０を連結することによって構成される上記積上げ部材４は合成樹脂製の骨格構造体になる。
【００２２】
図５および図６に示した分割体４０は、多数の通水口４２…が開設されていて互いに直交する「く字形」に連設された２つの側壁４１，４１を有する。また、この分割体４０における分割箇所に相応する一方の端縁４３と他方の端縁４４とに振り分けて、互いに連結可能な形状の係合部４５と被係合部４６とが設けられている。また、一対の分割体４０によって形成される上記多角筒状体の軸線方向での分割体４０の一端側の辺部４７および他端側の辺部４８のそれぞれの全長部分に亘ってフランジ部４９，４９，５２，５２が設けられ、それらのフランジ部４９，４９，５２，５２の表面によって支持面５３，５４が形成されている。そして、上下に段積みされる２つの上記分割体４０，４０の相互間では、下段側の分割体４０の他端側の辺部４８に具備された上記支持面５４に、上段側の分割体４０の一端側の辺部４７に具備された上記支持面５３が重なり合うようになっている。
【００２３】
上記係合部４５は、上記一方の端縁４３の全長部分に亘って設けられた係合溝部でなり、上記被係合部４６は、上記他方の端縁４４の全長部分に亘って設けられて上記係合溝部にスライドさせて嵌合可能な被係合突起でなる。すなわち、図９に示したように、上記係合部４５は、突出部４５ａとこの突出部４５ａに対して直角に突き出た突片部４５ｂとを有しているのに対し、上記被係合部４６は、上記突片部４５ｂが嵌合可能な幅広溝部４６ｂと上記突出部４５ａが嵌合可能な幅狭溝部４６ａとを有している。
【００２４】
分割体４０の一端側の辺部４７に位置決め片５５が突設されている。この位置決め片５５は、下段側の分割体４０の他端側の辺部４８，４８に内嵌合される。
【００２５】
また、分割体４０の２つの側壁４１，４１のそれぞれに上記多角筒状体の軸線方向に延びるリブ５６が複数条に亘って設けられている。これらのリブ５６は、その一端部と他端部とが、上記フランジ部４９，５２にそれぞれ連設されている。
【００２６】
一対の分割体４０，４０のそれぞれに設けられている係合部４５，４５と被係合部４６，４６とを相互に嵌合させてその一対の分割体４０，４０を連結すると、図７や図８に示した積上げ部材４が組み立てられる。
【００２７】
上記積上げ部材４が上下に段積みされている形態が図１０に示されている。同図で判るように、下段側の積上げ部材４に備わっている支持面５４に上段側の積上げ部材４に備わっている支持面５３が重なり合っていると共に、上段側の積上げ部材４に備わっている位置決め片５５が下段側の積上げ部材４に内嵌合している。このため、上段側の積上げ部材４が下段側の積上げ部材４に対して正確に位置決めされる。また、個々の積上げ部材４の側壁４１のそれぞれは垂直になり、リブ５６や位置決め片５５も垂直になる。このため、透水層７を介して積上げ部材４に加わる垂直な下向き荷重に対して大きな対抗力を発揮し、側壁４１が通常時に受ける下向き荷重によって座屈を生じることはない。
【００２８】
なお、最上段の個々の積上げ部材４…に蓋体が取り付けられ、その蓋体によって積上げ部材４の通水口４２が塞がれている。上記透水層７はこの蓋体の上に形成される。
【００２９】
上記した分割体４０は、図１１に示したように多数のものを同じ向きにして嵌合状に重ねることができる。このようにすると、多数の分割体４０…が嵩張らないので、工場や地下貯水槽Ａの施工現場で多数の分割体４０を保管する場合にそれほど広いスペースが必要にならず、また、トラックで分割体４０を搬送するときの分割体１個当りの搬送コストが安くつく。また、上記分割体４０は、その側壁４１にリブ５６が設けられているので、このリブ５６が下向き荷重に対する強度を高めることに役立つ。
【００３０】
図１２は本発明の他の実施形態である積上げ部材４とその積上げ部材４を並べた状態を示す部分平面図、図１３は図１２の積上げ部材４を形成するための分割体４０を嵌合状に重ねた状態の説明図である。
【００３１】
図１２の積上げ部材４は、９０度よりも大きい開き角度で連設された３つの側壁４１，４１，４１を有する一対の分割体４０，４０を向き合わせて突き合わせ、それぞれの分割体４０，４０に設けられている係合部４５と被係合部４６とを連結することにより構成されたものの事例である。この事例では、積上げ部材４が平面視正六角形の多角筒状体によって形成されている。
【００３２】
これ以外の分割体４０ないし積上げ部材４の構成、たとえば、分割体４０の３つの側壁４１…に多数の通水口４２…が開設されている点、上記係合部４５や被係合部４６が、分割体４０における分割箇所に相応する一方の端縁と他方の端縁とに振り分けて設けられている点、分割体４０の一端側の辺部および他端側の辺部のそれぞれの全長部分に亘ってフランジ部が設けられ、それらのフランジ部の表面によって支持面が形成されている点、分割体４０の一端側の辺部に位置決め片が突設されている点、上記した３つの側壁４１…のそれぞれにリブ５６が設けられている点など、については、図５〜図１０で説明した分割体４０ないし積上げ部材４の構成と同様である。
【００３３】
この分割体４０によっても、図１３に示したように多数のものを同じ向きにして嵌合状に重ねることができ、そのようにしても多数の分割体４０…が嵩張らないので、工場や地下貯水槽Ａの施工現場で多数の分割体４０を保管する場合にそれほど広いスペースが必要にならず、また、トラックで分割体４０を搬送するときの分割体１個当りの搬送コストが安くつく。
【００３４】
図１や図２で説明した地下貯水槽Ａにおいて、上記水溜め空間１の周囲壁面１１は上開き状に傾斜しているので、その周囲壁面１１が垂直に形成されている場合に比べてその周囲壁面１１自体が安定している。それに加えて、上記仕切壁５と上記周囲壁面１１との間の通水層６の荷重が上記周囲壁面１１を締め固める方向に加わるのでその周囲壁面１１はいっそう安定する。また、上記通水層６と上記集合体３との間には、その集合体３の周囲で垂直に立ち上げられた仕切壁５が設けられているので、その仕切壁５によって、上記通水層６を形成している砕石などの小形固形物が上記集合体３の内部の水溜め用の空隙に入ってその空隙を塞ぐことが阻止され、同時に、上記透水層７の上を人が歩いたり自動車が走行したりしたときにその透水層７を介して上記集合体３に加わる水平方向の荷重が上記仕切壁５によって分散されて受け止められるので、上記集合体３がその側方へ崩れ落ちるといった事態が起こらない。
【００３５】
この地下貯水槽Ａにおいては、地表に降った雨水が、上記透水層７を経て上記集合体３に備わっている水溜め用の空隙や上記通水層６に導入され、その通水層６に浸入した雨水は、上記仕切壁５に具備されている通水孔５１によって上記空隙に導入されて貯留される。また、側溝などに集まった雨水などの地表水は上記地表水導入路８を経て上記空隙に直接に導入される。しかしながら、地表水の中に枯葉や土砂などの固形物が含まれている場合には、この地下貯水槽Ａの前に固形物分離槽や濾過槽、沈殿槽などを設けてそれらの固形物を分離できるようにしておくことが望ましい。こうしておけば、固形物の混ざっていないきれいな水が上記水溜め用の空隙に溜まる。水溜め用の空隙に溜まった水は必要に応じて排水路９を経て排水することができる。
【００３６】
このような地下貯水槽Ａは、集中豪雨などに見舞われたときに都市河川の水位が急激に上昇して氾濫を起こすといった事態を回避することに利用することができる。たとえば、集中豪雨の警報によってあらかじめ水溜め空間１を空にしておき、河川の水位がその集中豪雨によって上昇している間は、地表を流れて河川に流れ込もうとする雨水の一部をこの水溜め空間１に流入させて一時貯留しておき、集中豪雨が治まって河川の水位が下がったときにその水溜め空間１の貯留水を河川に放流するようにすると、河川の水位の急激な上昇による氾濫を回避することができる。また、火災などの緊急を要する場合には、水溜め空間１の貯留水を汲み上げ、防火用水などに用いることもできる。通常は、水溜め空間１の水を植物の潅水などに使用することができるのであり、そのためには、別途、水汲み口を水溜め空間１から導き出しておくことが好ましい。
【００３７】
また、上記した地下貯水槽Ａのように、上記集合体３を左右に２分割し、その左右の集合体３，３の間の仕切壁５，５で挟まれた空間に砕石などの小形固形物の集合でなる通水層６を形成しておくと、１箇所の集合体３の規模が適切な規模に小さく抑えられるので、仕切壁５により積上げ部材４を位置ずれしないように固定する作用が確実に発揮されるようになるだけでなく、積上げ部材４の施工性も向上する。また、水が左側の集合体３の水溜め用の空隙から仕切壁５，５の相互間の上記通水層６を通過して右側の集合体３の水溜め用の空隙に移動するときに、その通水層６がフィルターとして水の浄化作用を発揮する。このため、その通水層６を炭や特殊な鉱物で形成しておくと、右側の集合体３の水溜め用の空隙から取り出す水を、その浄化の度合に応じて有効に活用することが可能になる。
【００３８】
【発明の効果】
本発明によれば、積み上げた個々の積上げ部材の側壁のそれぞれが垂直になるので、積上げ部材に加わる垂直な下向き荷重に対して大きな対抗力を発揮する。このため、地中に凹入状に形成された水溜め空間の地表面での開口部を覆って配設されている透水層を下から支え得るだけの十分に大きな強度を確保することが容易な地下貯水槽用の積上げ部材を提供することが可能になる。また、施工現場で多角筒状体に組み立てることができ、嵩張らない形にして搬送したり保管したりすることのできる地下貯水槽用の積上げ部材を提供することが可能になる。
【図面の簡単な説明】
【図１】本発明の実施の一形態である積上げ部材を用いて施工した地下貯水槽を概略的に示した一部省略縦断面図である。
【図２】地下貯水槽を概略的に示した平面構成図である。
【図３】地下貯水槽の一部を示す説明図である。
【図４】地下貯水槽の他の一部を示す説明図である。
【図５】分割体を斜め上方から見た斜視図である。
【図６】分割体を斜め下方から見た斜視図である。
【図７】積上げ部材を斜め上方から見た斜視図である。
【図８】積上げ部材を斜め下方から見た斜視図である。
【図９】係合部と被係合部とを示す部分平面図である。
【図１０】位置決め片の作用を説明するための断面図である。
【図１１】分割体を嵌合状に重ねた状態の説明図である。
【図１２】本発明の他の実施形態である積上げ部材とその積上げ部材を並べた状態を示す部分平面図である。
【図１３】図１２の積上げ部材を形成するための分割体を嵌合状に重ねた状態の説明図である。
【符号の説明】Ａ  地下貯水槽用１  水溜め空間４  積上げ部材４２  通水口４１  側壁４０  分割体４３  一方の端縁４４  他方の端縁４５  係合部４６  被係合部４７  一端側の辺部４８  他端側の辺部５３，５４  支持面５６  リブ５５  位置決め片
【図１】
0003556776.tif 000002
【図２】
0003556776.tif 000003
【図３】
0003556776.tif 000004
【図４】
0003556776.tif 000005
【図５】
0003556776.tif 000006
【図６】
0003556776.tif 000007
【図７】
0003556776.tif 000008
【図８】
0003556776.tif 000009
【図９】
0003556776.tif 000010
【図１０】
0003556776.tif 000011
【図１１】
0003556776.tif 000012
【図１２】
0003556776.tif 000013
【図１３】
0003556776.tif 000014